(57)【要約】【課題】複数の製品を構成する部品に係る部品情報をデータベースに格納した場合であっても、該データベースから部品情報を取得して表示するまでに時間がかからず表示の高速化を図ることができるような部品情報表示方法を提供する。【解決手段】部品情報表示方法は、キー情報と属性情報とを含む部品情報が格納されているデータベース１から前記キー情報のすべてを取得するキー情報取得ステップと、前記データベース１から前記属性情報のうちページあたりの表示件数分の属性情報のみを取得する属性情報取得ステップと、前記取得した属性情報と前記取得したキー情報のうち該属性情報に対応するキー情報とをデータ表示部４に表示する表示ステップと、を備えている。【選択図】図２
2005346344.tif 000002
【特許請求の範囲】
【請求項１】
キー情報と属性情報とを含む部品情報が格納されているデータベースから前記キー情報を取得するキー情報取得ステップと、
前記データベースから前記属性情報のうちページあたりの表示件数分の属性情報のみを取得する属性情報取得ステップと、
前記取得した属性情報と前記取得したキー情報のうち該属性情報に対応するキー情報とをデータ表示部に表示する表示ステップと、
を備えた部品情報表示方法。
【請求項２】
前記キー情報取得ステップの後に、前記取得したキー情報を一時記憶部に記憶するキー情報記憶ステップを設けるとともに、前記属性情報取得ステップの後に、前記取得した属性情報を前記一時記憶部に記憶する属性情報記憶ステップを設け、前記一時記憶部に記憶されているキー情報および属性情報に基づき前記表示ステップを実行する請求項１に記載の部品情報表示方法。
【発明の詳細な説明】
【技術分野】
【０００１】
本発明は、製品を構成する部品に係る部品情報を表示するための部品情報表示方法に関する。
【背景技術】
【０００２】
従来、例えば電子機器等の製品を構成する部品に係る部品情報を表示するための部品情報表示方法が知られている。従来の部品情報表示方法では、キー情報と属性情報とを含む部品情報をデータベースに格納しておき、検索条件に見合った検索結果を該データベースから取得して表示するようにしていた。
【０００３】
なお、例えば特許文献１には、親子の接続関係で階層状に配列された部品構成情報について、入力された部品番号と前記階層の展開レベルに基づいて部品構成情報展開の展開レベルを設定することにより、不要な部品構成情報の展開を省くことができ、その結果部品構成情報の展開時間を短縮できるような部品構成情報の表示方法が開示されている。
【０００４】
【特許文献１】特開平１１−２１３００７号公報
【発明の開示】
【発明が解決しようとする課題】
【０００５】
しかしながら、従来の部品情報表示方法においては、複数の製品を構成する部品に係る部品情報をデータベースに格納した場合、情報量としては例えば百万件程度と膨大なものとなり、該データベースから部品情報を取得して表示するまでに時間がかかってしまうという問題があった。
【０００６】
本発明は、係る事情に鑑みてなされたものであり、複数の製品を構成する部品に係る部品情報をデータベースに格納した場合であっても、該データベースから部品情報を取得して表示するまでに時間がかからず表示の高速化を図ることができるような部品情報表示方法を提供することを目的とする。
【課題を解決するための手段】
【０００７】
本発明の部品情報表示方法は、キー情報と属性情報とを含む部品情報が格納されているデータベースから前記キー情報を取得するキー情報取得ステップと、前記データベースから前記属性情報のうちページあたりの表示件数分の属性情報のみを取得する属性情報取得ステップと、前記取得した属性情報と前記取得したキー情報のうち該属性情報に対応するキー情報とをデータ表示部に表示する表示ステップと、を備えている。
【０００８】
この方法によれば、データベースから格納されている属性情報のうちページあたりの表示件数分の属性情報のみを取得し、取得した属性情報と該属性情報に対応するキー情報とをデータ表示部に表示するので、複数の製品を構成する部品に係る部品情報（キー情報と属性情報）をデータベースに格納した場合であっても、該データベースから部品情報を取得して表示するまでに時間がかからず表示の高速化を図ることができる。
【０００９】
また、本発明の部品情報表示方法は、前記キー情報取得ステップの後に、前記取得したキー情報を一時記憶部に記憶するキー情報記憶ステップを設けるとともに、前記属性情報取得ステップの後に、前記取得した属性情報を前記一時記憶部に記憶する属性情報記憶ステップを設け、前記一時記憶部に記憶されているキー情報および属性情報に基づき前記表示ステップを実行するものを含む。
【００１０】
この方法によれば、一時記憶部に記憶されているキー情報および属性情報に基づき表示ステップを実行するので、一度取得したキー情報および属性情報をいつでも利用することができ表示の高速化を図ることができる。
【発明の効果】
【００１１】
本発明によれば、データベースから格納されている属性情報のうちページあたりの表示件数分の属性情報のみを取得し、取得した属性情報と該属性情報に対応するキー情報とをデータ表示部に表示するので、複数の製品を構成する部品に係る部品情報（キー情報と属性情報）をデータベースに格納した場合であっても、該データベースから部品情報を取得して表示するまでに時間がかからず表示の高速化を図ることができる。
【発明を実施するための最良の形態】
【００１２】
以下、本発明を実施するための好適な実施の形態について、図面を参照して詳細に説明する。
【００１３】
図１は、本発明の実施の形態における部品情報表示装置の構成を示すブロック図である。図１において、本実施の形態における部品情報表示装置は、データベース１と、検索部２と、一時記憶部３と、データ表示部４とを備えている。
【００１４】
データベース１は、複数の製品を構成する部品に係る部品情報（キー情報と属性情報）が格納されているものである。ここで、情報量としては、例えば百万件程度と膨大なものである。検索部２は、クライアント（図示せず）からの検索条件を含む検索要求に応じてデータベース１の検索を行い、該データベース１から検索結果を取得するものである。一時記憶部３は、データベース１の検索結果（キー情報と属性情報）を一時的に記憶するものである。データ表示部４は、一時記憶部３に記憶されているデータベース１の検索結果に基づき表示動作を行うものである。
【００１５】
次に、このような構成を有する本実施の形態における部品情報表示装置の１ページ目の表示を行うための動作（部品情報表示方法）について、図２のフローチャートを参照して説明する。まず、データベース１を検索してキー情報のすべてＫｅｙ１〜Ｋｅｙｎを取得する（ステップＳ１０１、図４（ａ）参照）。次に、取得したキー情報Ｋｅｙ１〜Ｋｅｙｎを一時記憶部３に記憶する（ステップＳ１０２）。次に、ページあたりの表示件数の情報を取得する（ステップＳ１０３）。次に、データベース１からページあたりの表示件数分の詳細情報（属性情報Ｄａｔａ１〜Ｄａｔａ３）のみを取得する（ステップＳ１０４）。次に、取得した詳細情報（属性情報Ｄａｔａ１〜Ｄａｔａ３）を一時記憶部３に記憶する（ステップＳ１０５）。そして、一時記憶部３に記憶されているキー情報Ｋｅｙ１〜Ｋｅｙｎおよび属性情報Ｄａｔａ１〜Ｄａｔａ３に基づき、属性情報Ｄａｔａ１〜Ｄａｔａ３と該属性情報に対応するキー情報Ｋｅｙ１〜Ｋｅｙ３とを検索結果としてデータ表示部４に表示する（ステップＳ１０６、図４（ｂ）参照）。
【００１６】
続いて、本実施の形態における部品情報表示装置の２ページ目以降の表示を行うための動作（部品情報表示方法）について、図３のフローチャートを参照して説明する。まず、一時記憶部３に記憶されている情報の中から該当ページのキー情報を取得する（ステップＳ２０１）。次に、詳細情報（属性情報）があるか否かの判断を行う（ステップＳ２０２）。詳細情報（属性情報）がなかった場合、データベース１から該当ページの表示件数分の詳細情報（属性情報）のみを取得する（ステップＳ２０３）。次に、取得した該当ページの詳細情報（属性情報）を一時記憶部３に記憶する（ステップＳ２０４）。そして、一時記憶部３に記憶されているキー情報および属性情報に基づき、属性情報（例えばＤａｔａ４〜Ｄａｔａ５）と該属性情報に対応するキー情報（例えばＫｅｙ４〜Ｋｅｙ５）とを検索結果としてデータ表示部４に表示する（ステップＳ２０５、図４（ｃ）参照）。一方、ステップＳ２０２において、詳細情報（属性情報）があった場合には、ステップＳ２０５を実行する。
【００１７】
なお、最初にキー情報Ｋｅｙ１〜Ｋｅｙｎおよび属性情報Ｄａｔａ１〜Ｄａｔａ５を取得し（図５（ａ）参照）、次にキー情報ＫｅｙＡ〜ＫｅｙＣを挿入的に取得し（図５（ｂ）参照）、最後に属性情報ＤａｔａＡ〜ＤａｔａＣを挿入的に取得し、取得した情報のすべてを表示部４に表示するようにしてもよい（図５（ｃ）参照）。
【００１８】
上述したように、本実施の形態における部品情報表示方法によれば、データベース１から格納されている属性情報のうちページあたりの表示件数分の属性情報のみを取得し、取得した属性情報と該属性情報に対応するキー情報とをデータ表示部４に表示するので、複数の製品を構成する部品に係る部品情報（キー情報と属性情報）をデータベース１に格納した場合であっても、該データベース１から部品情報を取得して表示するまでに時間がかからず表示の高速化を図ることができる。
【産業上の利用可能性】
【００１９】
本発明は、複数の製品を構成する部品に係る部品情報（キー情報と属性情報）をデータベースに格納した場合であっても、該データベースから部品情報を取得して表示するまでに時間がかからず表示の高速化を図ることができるといった効果を有し、例えば電子機器等の製品を構成する部品に係る部品情報を表示するための部品情報表示方法に適用が可能である。
【図面の簡単な説明】
【００２０】
【図１】本発明の実施の形態における部品情報表示装置の構成を示すブロック図
【図２】本発明の実施の形態における部品情報表示装置の１ページ目の表示を行うための動作（部品情報表示方法）を説明するためのフローチャート
【図３】本発明の実施の形態における部品情報表示装置の２ページ目以降の表示を行うための動作（部品情報表示方法）を説明するためのフローチャート
【図４】本発明の実施の形態における部品情報表示装置の動作（部品情報表示方法）を説明するための図
【図５】本発明の実施の形態における部品情報表示装置の他の動作（部品情報表示方法）を説明するための図
【符号の説明】
【００２１】
１  データベース
２  検索部
３  一時記憶部
４  データ表示部
【図１】
2005346344.tif 000003
【図２】
2005346344.tif 000004
【図３】
2005346344.tif 000005
【図４】
2005346344.tif 000006
【図５】
2005346344.tif 000007